(57)【要約】【課題】ポインティングデバイスを持たない機器において、方向キーによってフォーカスを移動させる方法は、現在のフォーカス位置と選択したい項目が離れている場合や、選択項目が多数ある場合、何度も繰り返し方向キーを押してフォーカスを移動させる必要があり、操作が煩雑である。また、行と列をキーで指定して選択を行う方法は、項目が不規則に配置されている場合は適用不可能である。【解決手段】（１）画面を複数の領域に分割することを繰り返し行い、選択の対象となる項目の絞り込みを行い、最終的に１つの項目を選択する選択手段。（２）画面を複数の領域に分割し、選択された領域にフォーカスを移動させる手段と、フォーカス移動によって選択を行う手段を併用した選択手段。【選択図】図３
2006295452.tif 000002
【特許請求の範囲】
【請求項１】
画面上に表示されている複数の項目の中から任意の項目を選択する方法であって、画面を複数の領域に分割し、それぞれの領域をボタンなどの入力装置に対応させることで選択したい項目を含む領域の選択を行い、選択された領域に項目が１つしかなければその項目を選択し、選択された領域の中に複数の項目がある場合は、その領域を更に複数の領域に分割して選択項目の絞り込みを行うことで画面上の項目を選択する方法。
【請求項２】
画面上に表示されている複数の項目の中から任意の項目を選択する方法であって、画面を複数の領域に分割し、それぞれの領域をボタンなどの入力装置に対応させることで選択したい項目を含む領域の選択を行う方法と、項目が選択されていることを示すフォーカス表示を方向キーで移動させることによって項目を選択する方法を組み合わせた選択方法であり、選択したい項目を含む領域を選択することによって、その領域に含まれる項目の１つにフォーカス表示を移動させる手段と、フォーカス移動によって項目の選択を行う手段と、その領域を更に複数の領域に分割して選択項目の絞り込みを行う手段を用いて画面上の項目を選択する方法。
【請求項３】
画面上の領域中の任意の点を選択する方法であって、領域を複数の領域に分割し、それぞれの領域をボタンなどの入力装置に対応させることで選択したい点を含む領域の選択を行う方法と、点を指定するためのカーソルを方向キーで移動させることによって点を選択する方法を組み合わせた選択方法であり、選択したい点を含む領域を選択することによって、その領域の中に点を選択するためのカーソルを移動させる手段と、カーソル移動によって点の選択を行う手段と、その領域を更に複数の領域に分割して領域の絞り込みを行う手段を用いて画面上の点を選択する方法。
【発明の詳細な説明】
【技術分野】
【０００１】
本発明は、ポインティングデバイスを持たない機器で、画面上の項目を選択するための操作方法に関する。
【背景技術】
【０００２】
現在テレビ等のポインティングデバイスを持たない機器において、メニューやＨＴＭＬなどで記述されたコンテンツ上で、目的とするメニューやリンクなどの項目を選択するために用いられる方法として、方向キーを用いて項目が選択されていることを示すフォーカス表示やカーソルを移動させて選択を行う方法が用いられている。また、項目をマトリクス状に配置しておいて、行を指定するキーと列を指定するキーを用いて選択を行う方法がある（特許文献１）。
【特許文献１】特開平５−３５６８１号公報
【発明の開示】
【発明が解決しようとする課題】
【０００３】
方向キーによってフォーカスを移動させる方法は、現在のフォーカス位置と選択したい項目が離れている場合や、選択項目が多数ある場合、何度も繰り返し方向キーを押してフォーカスを移動させる必要があり、操作が煩雑である。また、行と列をキーで指定して選択を行う方法は、項目が不規則に配置されている場合は適用不可能である。
【課題を解決するための手段】
【０００４】
上記課題を解決するため、下記の２つの手段を用いる。
【０００５】
（１）画面を複数の領域に分割することを繰り返し行い、選択の対象となる項目の絞り込みを行い、最終的に１つの項目を選択する選択手段。
【０００６】
（２）画面を複数の領域に分割し、選択された領域にフォーカスを移動させる手段と、フォーカス移動によって選択を行う手段を併用した選択手段。
【発明の効果】
【０００７】
従来の方法では、例えば図３の状態から項目３１６を選択するには、方向キーを用いてフォーカス３１７を３０３→３０４→３０９→３１０→３１２→３１５→３１６などの順で動かしていく必要があり、操作が煩雑であった。本発明の選択方法によれば、領域９選択→領域４選択または領域９選択→方向キー下の２回の入力で３１６を選択することが可能になり、操作を簡単にすることができる。
【０００８】
また、従来の方法では図５の状態から点５０４を選択するには、方向キーを押し続けてカーソル５０３を点５０４まで移動させる必要があり、移動が遅いと時間がかかり、移動が速いと正確に点５０４の位置にカーソルを合わせるのが難しいという問題があった。本発明の選択方法によれば、図５の状態から領域９を選択することによって、カーソルを目的の点５０４の近くに瞬時に移動させることが可能なので、点５０４を選択するのにかかる時間を短縮することができる。
【発明を実施するための最良の形態】
【０００９】
（実施の形態１）
数字ボタン１〜９を持つ入力装置を備える機器において、請求項１に記載の選択方法を実施する例を図１〜２を用いて説明する。図１は請求項１に記載の項目選択方法を、画面を９個の領域に分割することで実現した例であり、１０１は画面であり、１０２は分割された領域の境界を表す。四角で囲んだ数字はそれぞれの領域が１〜９の数字ボタンに対応付けられていることを表す。画面には複数の選択項目１０３〜１１６がある。図１の状態でボタン６を押した場合、ボタン６に対応する領域には選択項目が１つしかないので、選択項目１１２が選択される。図１の状態でボタン５を押した場合は、ボタン５に対応する領域には選択項目が複数あるため、図２に示すように領域が更に分割される。図２の状態からボタン８を押すと、ボタン８に対応する領域には選択項目が１つしかないため、選択項目２１１が選択される。
【００１０】
（実施の形態２）
数字ボタン１〜９と上下左右の４つの方向ボタンを持つ入力装置を備える機器において、請求項２に記載の選択方法を実施する例を図３〜４を用いて説明する。
図３は請求項２に記載の項目選択方法を、画面を９個の領域に分割することで実現した例であり、３０１は画面であり、３０２は分割された領域の境界を表す。四角で囲んだ数字はそれぞれの領域が１〜９の数字ボタンに対応付けられていることを表す。画面には複数の選択項目３０３〜３１６があり、３１７は項目が選択されていることを示すフォーカス表示である。図３の状態でボタン９を押すと、フォーカス３１７がボタン９に対応する領域に含まれる選択項目の１つ、例えば選択項目３１５に移動し、同時にボタン９に対応する領域には選択項目が複数あるため、領域が更に分割される（図４）。図４の状態から選択項目３１６を選択したいときは、方向ボタンによってフォーカスを移動させる方法と、選択項目３１６が含まれる領域である４または５を選択する方法のどちらでも選択することが可能である。なお、この方法では領域分割とフォーカス移動のどちらの手段でも項目の選択が可能であるため、分割を繰り返すことによって領域が小さくなりすぎる場合は、分割をやめてフォーカス移動のみを用いて項目を選択するようにする形態も考えられる。
【００１１】
（実施の形態３）
数字ボタン１〜９と上下左右の４つの方向ボタンを持つ入力装置を備える機器で、ある画像中の１点を選択する場合において、請求項３に記載の選択方法を実施する例を図５〜６を用いて説明する。図５は請求項５に記載の選択方法を、領域を９個に分割することで実現した例であり、５０１は画像、５０２は分割された領域の境界、５０３は点を選択するためのカーソル、５０４は選択したい点を表す。図５の状態で、選択したい点５０４を含む領域に対応したボタン９を押すと、図６に示すようにカーソル６０３が選択した領域に移動し、選択した領域が更に分割される。図６の状態から点６０４を選択するには、方向キーでカーソルを動かして選択する方法と、点６０４を含む領域６を選択し、カーソルを更に点６０４に近い位置に移動させてから方向キーで移動させて選択することも可能である。なお、分割を繰り返すことによって領域が小さくなりすぎる場合は、分割をやめてカーソル移動のみを用いて項目を選択するようにする形態も考えられる。
【産業上の利用可能性】
【００１２】
本発明はポインティングデバイスを持たない機器で簡単な操作で画面上の項目を選択するための操作方法に適用できる。
【図面の簡単な説明】
【００１３】
【図１】数字ボタン１〜９を持つ入力装置を備える機器において、請求項１に記載の選択方法を実施する例を示す図
【図２】数字ボタン１〜９を持つ入力装置を備える機器において、請求項１に記載の選択方法を実施する例を示す図
【図３】数字ボタン１〜９と上下左右の４つの方向ボタンを持つ入力装置を備える機器において、請求項２に記載の選択方法を実施する例を示す図
【図４】数字ボタン１〜９と上下左右の４つの方向ボタンを持つ入力装置を備える機器において、請求項２に記載の選択方法を実施する例を示す図
【図５】数字ボタン１〜９と上下左右の４つの方向ボタンを持つ入力装置を備える機器において、請求項３に記載の選択方法を実施する例を示す図
【図６】数字ボタン１〜９と上下左右の４つの方向ボタンを持つ入力装置を備える機器において、請求項３に記載の選択方法を実施する例を示す図
【符号の説明】
【００１４】
１０１    画面
１０２    分割された領域の境界
１０３    選択項目
１０４    選択項目
１０５    選択項目
１０６    選択項目
１０７    選択項目
１０８    選択項目
１０９    選択項目
１１０    選択項目
１１１    選択項目
１１２    選択項目
１１３    選択項目
１１４    選択項目
１１５    選択項目
１１６    選択項目
２０１    画面
２０２    分割された領域の境界
２０３    選択項目
２０４    選択項目
２０５    選択項目
２０６    選択項目
２０７    選択項目
２０８    選択項目
２０９    選択項目
２１０    選択項目
２１１    選択項目
２１２    選択項目
２１３    選択項目
２１４    選択項目
２１５    選択項目
２１６    選択項目
３０１    画面
３０２    分割された領域の境界
３０３    選択項目
３０４    選択項目
３０５    選択項目
３０６    選択項目
３０７    選択項目
３０８    選択項目
３０９    選択項目
３１０    選択項目
３１１    選択項目
３１２    選択項目
３１３    選択項目
３１４    選択項目
３１５    選択項目
３１６    選択項目
３１７    フォーカス表示
４０１    画面
４０２    分割された領域の境界
４０３    選択項目
４０４    選択項目
４０５    選択項目
４０６    選択項目
４０７    選択項目
４０８    選択項目
４０９    選択項目
４１０    選択項目
４１１    選択項目
４１２    選択項目
４１３    選択項目
４１４    選択項目
４１５    選択項目
４１６    選択項目
４１７    フォーカス表示
５０１    画面
５０２    分割された領域の境界
５０３    カーソル
５０４    選択したい点
６０１    画面
６０２    分割された領域の境界
６０３    カーソル
６０４    選択したい点
【図１】
2006295452.tif 000003
【図２】
2006295452.tif 000004
【図３】
2006295452.tif 000005
【図４】
2006295452.tif 000006
【図５】
2006295452.tif 000007
【図６】
2006295452.tif 000008